(57)【要約】【課題】粘着テープを巻いて成るテープロールを保持すると共に、粘着テープを切断でき、粘着テープの先端部をテープロールに貼りつかないよう粘着保持し、使用時に粘着テープの先端部を摘まんで引き出しやすいテープカッターを提供すること。【解決手段】テープロールを回転可能に保持するテープロール保持部３と、テープ引き出し部４とを備え、テープ引き出し部４に粘着テープを通すスリット１２が設けられ、スリット１２を挟んで一側に粘着テープを切断する切断刃５が設けられ、スリット１２を挟んで反対側に、粘着テープの端部を粘着する板状のテープ貼付け片７が設けられ、テープ貼付け片７の端縁に、粘着テープの端部を摘持可能な指入れ用切欠き部１５が形成される。【選択図】図１
2018002471.tif 000002
【特許請求の範囲】
【請求項１】
粘着テープをロール状に巻いて成るテープロールを回転可能に保持するテープロール保持部と、該テープロール保持部の前方に設置されたテープ引き出し部とを備え、前記テープ引き出し部に、前記テープロールから引き出された粘着テープを通すスリットが設けられ、前記スリットを挟んで一側に、引き出された粘着テープを切断する切断刃が設けられると共に、前記スリットを挟んで前記切断刃の反対側に、前記粘着テープの端部の粘着面を粘着する板状のテープ貼付け片が設けられ、前記テープ貼付け片の端縁に、貼り付けられた前記粘着テープの端部を摘持可能な指入れ用切欠き部が形成されたことを特徴とするテープカッター。
【請求項２】
前記切断刃が前記テープ引き出し部の一端から突出して設けられると共に、先端部が前記テープ引き出し部の一端から出没自在で、且つ、突出時に前記切断刃の刃先に係止して被覆するカッターカバーが設けられ、該カッターカバーは前記テープ引き出し部の一端から没入する方向に付勢されていることを特徴とする請求項１に記載のテープカッター。
【請求項３】
没入した前記カッターカバーを受け、該カッターカバーと協働して前記テープロールから前記スリットに至る粘着テープを挟む仮止め用突条が前記テープ貼付け片の裏面に形成されたことを特徴とする請求項２に記載のテープカッター。
【請求項４】
前記切断刃が前記テープ引き出し部の裏面から間隔をあけて設けられ、前記カッターカバーが前記テープ引き出し部の裏面と切断刃との間を通って出没自在であり、前記テープ引き出し部に指通し孔が形成されると共に、前記カッターカバーの前記指通し孔と対応する位置に、前記カッターカバーの突出操作用の指掛け孔が形成されたことを特徴とする請求項２又は３に記載のテープカッター。
【発明の詳細な説明】
【技術分野】
【０００１】
本発明は、梱包等に用いられる幅広くて粘着力が高い粘着テープをロール状に巻いて成るテープロールを保持し、所定長さに引き出された粘着テープを切断するのに好適なテープカッターに関する。
【背景技術】
【０００２】
従来、粘着テープをロール状に巻いて成るテープロールを回転自在に保持し、テープロールから引き出した粘着テープを適宜長さで切断する切断刃を備えたテープカッターが知られている。
例えば、特許文献１には、ロール状に巻かれた粘着テープを回転可能に収容し、粘着テープが引き出されるテープ引出部を有する本体部と、テープ引出部に設けられたカッター部と、テープ引出部に対して接近又は離反するよう摺動可能に設けられた摺動部とを備え、摺動部は、テープ引出部において粘着テープを押止するとともに粘着テープの粘着面を貼り付けるテープ押止部を有するテープカッターが開示されている。
【０００３】
上記従来のテープカッターによれば、切断後に粘着テープの先端部をテープ押止部に貼り付けて、テープロールの外周に貼りつかないよう保持することができるので、粘着テープを使用する際に、粘着テープの先端をテープロールから剥がす手間がいらないという利点がある。
しかし、粘着テープの端部は全面的にテープ押止部へ貼りついているので、粘着テープの端部を摘まみにくく、使用時に粘着テープを引き出しにくいという欠点を十分に改善することはできなかった。特に、梱包等に用いられる粘着テープは粘着力が強いので、テープ押止部から剥がすのが面倒であった。
【先行技術文献】
【特許文献】
【０００４】
【特許文献１】特開２０１４−１８１０９３号公報
【発明の概要】
【発明が解決しようとする課題】
【０００５】
本発明が解決しようとする課題は、粘着テープを巻いて成るテープロールを保持すると共に、テープロールから引き出された粘着テープを切断でき、切断後の粘着テープの先端部をテープロールに貼りつかないよう粘着保持し、使用時に粘着テープの先端部を摘まんで引き出しやすいテープカッターを提供することにある。
【課題を解決するための手段】
【０００６】
本発明のテープカッターは、粘着テープをロール状に巻いて成るテープロールを回転可能に保持するテープロール保持部と、該テープロール保持部の前方に設置されたテープ引き出し部とを備え、前記テープ引き出し部に、前記テープロールから引き出された粘着テープを通すスリットが設けられると共に、前記スリットを挟んで一側に、前記引き出された粘着テープを切断する切断刃が設けられ、前記スリットを挟んで前記切断刃の反対側に、前記粘着テープの端部の粘着面を貼り付ける板状のテープ貼付け片が設けられ、前記テープ貼付け片の端縁に、貼り付けられた前記粘着テープの端部を摘持可能な指入れ用切欠き部が形成される。
【０００７】
前記切断刃が前記テープ引き出し部の一端から突出して設けられ、先端部が前記テープ引き出し部の一端から出没自在で、突出時に前記切断刃の刃先に係止して被覆するカッターカバーが設けられ、該カッターカバーは前記テープ引き出し部の一端から没入する方向に付勢されるとよい。
この場合、没入した前記カッターカバーを受け、該カッターカバーと協働して前記テープロールから前記スリットに至る粘着テープを挟む仮止め用突条が前記テープ貼付け片の裏面に形成されることがある。
また、前記切断刃が前記テープ引き出し部の裏面から間隔をあけて設けられ、前記カッターカバーが前記テープ引き出し部の裏面と切断刃との間を通って出没自在であり、前記テープ引き出し部に指通し孔が形成されると共に、前記カッターカバーの前記指通し孔と対応する位置に、前記カッターカバーの突出操作用の指掛け孔が形成されることがある。
【発明の効果】
【０００８】
請求項１に係る発明によれば、粘着テープの先端部をテープ貼付け片の前面に粘着して保持できるので、切断後に粘着テープの先端部がテープロールに貼りつかず、使用時に粘着テープの先端部をテープロールから剥がす手間がいらず、しかも、粘着テープを使用する際には、指入れ用切欠きを介して粘着テープの先端部を容易に摘まむことができ、粘着テープを引き出しやすい。
請求項２に係る発明によれば、使用しないときは、カッターカバーで切断刃の刃先を覆って安全性を高めることができ、カッターカバーを刃先から外すことにより、簡単に切断刃の刃先部を露出させることが可能である。
請求項３に係る発明によれば、カッターカバーを切断刃から外すと、仮止め用突条とカッターカバーが粘着テープを挟み、粘着テープの粘着力によりテープロール自体の巻き戻しを防いで、仮止めの役割を果たすことができる。
請求項４に係る発明によれば、テープ引き出し部の指通し孔を通してカッターカバーの指掛け孔に指を掛け、カッターカバーを押し出すだけで、切断刃の刃先をカッターカバーで被覆することができる。
【図面の簡単な説明】
【０００９】
【図１】本発明の実施例を示すテープカッターの切断刃露出状態における斜視図である。
【図２】本発明の実施例を示すテープカッターの切断刃被覆状態における斜視図である。
【図３】本発明の実施例に係るカッターカバーの斜視図である。
【図４】本発明の実施例を示すテープカッターの切断刃露出状態における要部断面図である。
【図５】本発明の実施例を示すテープカッターの切断刃被覆状態における要部断面図である。
【図６】本発明の実施例を示すテープカッターの使用状態における側面図である。
【発明を実施するための形態】
【００１０】
以下、本発明の実施例を図面に基づいて詳細に説明する。
図１及び図２に示すように、本発明のテープカッター１は、粘着テープＡをロール状に巻いて成るテープロールＢを回転可能に保持し、テープロールＢから引き出された粘着テープＡを適宜長さで切断するものであって、ベース部２と、それぞれベース部２に設けられたテープロール保持部３、テープ引き出し部４、切断刃５、カッターカバー６、テープ貼付け部７及びテープ押え部８とを備える。
粘着テープＡを使用しないときは、テープ押え部８が底板となって、テープカッター１を机や作業台の上に載置できる。
なお、以下の説明において、粘着テープＡがテープロールＢから引き出される方向を前方とし、テープカッター１を机等に載置したときに下になる方向を下方とする。
【００１１】
ベース部２は、合成樹脂を素材とし、テープロールＢの幅よりやや広幅のカッター取り付け部９と、カッター取り付け部９の一側面から後方へ延びる側壁１０とを有する。
カッター取り付け部９は両側面が開口した筒状の部材であり、カッター取り付け部９の前面下部には、前方に開口するカッター支持溝９Ａが形成され、カッター支持溝９Ａの上方にカバー支持段部９Ｂが形成される（図４及び図５）。
カッター支持溝９Ａには粘着テープＡを切断する切断刃５の基端部が挿入されて固定され、カバー支持段部９Ｂの上面には切断刃５の刃先を被覆可能なカッターカバー６が固定される。
【００１２】
側壁１０の前端部はカッター取り付け部９の一側面を閉鎖してさらに前方へ延び、側壁１０の後端部にはテープロール保持部３が一体に設けられる。
テープロール保持部３は、外径がテープロールＢの内径よりやや小さい円筒より成り、カッター取り付け部９の後方に間隔をおいて、中心軸がカッター取り付け部９と平行になるよう張り出される。
また、テープロール保持部３の一端縁（側壁１０側の端縁）には、外径がテープロールＢの内径よりやや大きい抜け止めフランジ１１が形成される。従って、テープロール保持部３をその他端縁からテープロールＢの中心に挿通すれば、テープロールＢを回動自在に保持することができる。
【００１３】
カッター取り付け部９の前方には、カッター取り付け部９の両端間に亘る幅のテープ引き出し部４が設置される。
テープ引き出し部４の他側端部（側壁１０と逆側端部）には、カッター取り付け部９の他側面を閉鎖する閉鎖壁２３が後方に向けて一体に設けられ、図４に示すように、閉鎖壁２３の内側面後部に、カッター取り付け部９の内部空間へはめ込まれる嵌合部２４が形成される。
嵌合部２４をカッター取り付け部９の内部へ挿入して、テープ引き出し部４をカッター取り付け部９に取り付けると、テープ引き出し部４の裏側には、切断刃５及びカッターカバー６が配置され、切断刃５の刃先部はテープ引き出し部４の下端から下方へ突出する。切断刃５の刃先は直線状あるいは鋸歯状とする。
また、切断刃５はテープ引き出し部４の裏面からやや間隔をあけて設けられる。
【００１４】
テープ引き出し部４の上方には、テープロールＢから引き出された粘着テープＡを通すスリット１２が設けられ、スリット１２の上方に、テープ引き出し部４と面一のテープ貼付け片７が設けられる。図１及び図２に示すように、スリット１２はテープロール保持部３の中心軸と平行に形成され、スリット１２の下方において、テープ引き出し部４には指通し孔１３が穿設されている。
テープ貼付け片７は、粘着テープＡの先端部の粘着面を前面に粘着する板状の部材であって、側壁１０から張り出している。テープ貼付け片７の前面には、粘着テープＡが強く貼りつきすぎないように複数のリブ１４が形成される。
また、テープ貼付け片７の上端縁には、貼り付けられた粘着テープＡの端部を指で表裏面から摘むための指入れ用切欠き１５が形成され、テープ貼付け片７の裏面下部には仮止め用突条２２が幅方向に沿って形成されている（図４〜図６）。
【００１５】
カッターカバー６は、図３〜図５に示すように、切断刃５とほぼ同幅のプラスチック製薄板を折り曲げて形成され、カッター取り付け部９のカバー支持段部９Ｂの上面及び前面に沿って配置される断面略Ｌ字状の取付部１６と、取付部１６の上端から前上方へ延びる弾性アーム１７と、弾性アーム１７の先端から下方へ延びる被覆部１８とを備える。
被覆部１８は、弾性アーム１７の揺動に伴って上下方向へ摺動するようになっている。被覆部１８の下端部は、テープ引き出し部４の裏面と切断刃５の前面との間に配置され、被覆部１８の斜め上下動に伴ってテープ引き出し部４の下端から出没する。
【００１６】
なお、閉鎖壁２３の内側面及び側壁１０の内側面のカッター取り付け部９より前方へ突出した部分において、カバー支持段部９Ｂ近傍には固定部保持突起２５が形成されると共に、テープ引き出し部４近傍には被覆部保持突起２６が形成される。
固定部保持突起２５とカバー支持段部９Ｂとは、カッターカバー６の取付部１６を挟んで安定した位置に保持する。一方、被覆部保持突起２６はカッターカバー６の被覆部１８を後方から支持して、被覆部１８を安定した位置に保持する。
【００１７】
また、被覆部１８にはテープ引き出し部４の指通し孔１３と対応する位置に指掛け孔１９が形成され、被覆部１８の下端部を裏面側へ折り返して、切断刃５の刃先と係合するフック部２０が形成される。
そして、常態では、被覆部１８は、弾性アーム１７により、その下端がテープ引き出し部４の下端から裏側に没入する方向へ付勢されているが、弾性アーム１７の付勢力に抗して、被覆部１８をテープ引き出し部４裏側および切断刃５の方向へ突出させると、フック部２０が切断刃５の刃先に係止して被覆する。
なお、被覆部１８がテープ引き出し部４の裏側に没入した状態では、カッターカバー６が仮止め用突条２２に当接している。
【００１８】
指掛け孔１９は、フック部２０が切断刃５の刃先に係止している時に、指通し孔１３と同じ高さとなり（図２）、フック部２０が切断刃５の刃先から外れてテープ引き出し部４の裏側に没入すると、指掛け孔１９の下端が指通し孔１３の下端よりやや上方にずれるようになっている（図１）。
従って、指掛け孔１９が指通し孔１３よりやや上方にずれた位置にあるとき、指通し孔１３を通して指掛け孔１９に指を差し込み、指掛け孔１９を押し下げて被覆部１８をテープ引き出し部４裏側および切断刃５の方向へ突出させることにより、フック部２０が切断刃５の刃先に係止して被覆部１８の没入が規制される。
【００１９】
また、被覆部１８の上部には、フック部２０がテープ引き出し部４の下端から突出している時、テープ引き出し部４の裏面に当接する弾性突条２７がスリット１２と平行に形成される。
この弾性突条２７を形成したことにより、フック部２０が切断刃５に係合した状態では、被覆部１８とテープ引き出し部４との間に空間が形成されるので（図５参照）、フック部２０を切断刃５から外すと、被覆部１８を容易に上昇させることができる。
【００２０】
テープ押え部８は、図１に示すように、カッター取り付け部９と同じ幅で、前後方向に長い湾曲した板体より成り、カッター取り付け部９の後下端部に、テープロール保持部３に接離する方向へ回動可能に取り付けられる。
テープ押え部８の前後方向に沿う断面は、上面側に凹となるよう弧状に湾曲しており、テープ押え部８の上面には、テープロールＢの回転を阻害しないよう、周方向に沿う複数の突条２１が形成される。
【００２１】
粘着テープＡを使用する時は、先ず図２における指通し孔１３から指を挿入し、カッターカバー６の指掛け孔１９に指を掛け、カッターカバー６を押下げる。
カッターカバー６の被覆部１８はテープ引き出し部４の裏側へ没入する方向に付勢されているので、指通し孔１３から指を挿入して、カッターカバー６をテープ引き出し部４へ接近させるだけで、フック部２０が切断刃５の刃先から外れて、カッターカバー６はテープ引き出し部４の裏側へ引き込まれる。
次いで、図６に示すように、テープ押え部８を上に向けて、テープカッター１のスリット１２を通して前方へ引き出された粘着テープＡの先端部の粘着面を被接着面Ｃに貼り付ける。
フック部２０を切断刃５から外すと、仮止め用突条２２がテープ引き出し部４の裏側へ没入したカッターカバー６を受け止める。そして、粘着テープＡはカッターカバー６と仮止め用突条２２に挟まれて、その粘着面が仮止め用突条２２に粘着され、この粘着力によってテープロールＢ自体の巻き戻しを防いでいる。つまり、カッターカバー６と仮止め用突条２２は仮止めの役割を果たしている。
【００２２】
次に、テープ押え部８の上方からテープカッター１を握り、テープカッター１を粘着テープＡの先端部から遠ざける。すると、テープロールＢが回転して粘着テープＡが引き出され、引き出された粘着テープＡが被接着面Ｃに貼り付けられる。
粘着テープＡを必要な長さ引き出したら、露出した切断刃５の刃先を粘着テープＡに押し付けて、粘着テープＡを切断する。
その後、粘着テープＡの先端部を折り返してその粘着面をテープ貼付け片７の前面に貼り付ける。
【００２３】
そして、テープ引き出し部４の指通し孔１３を通してカッターカバー６の指掛け孔１９に指を掛け、カッターカバー６をテープ引き出し部４から突出させてフック部２０を切断刃５の刃先に係止し、切断刃５の刃先を被覆部１８で被覆する。
再度粘着テープＡを使用する際には、テープ貼付け片７の指入れ用切欠き１５を介して、テープ貼付け片７に貼り付けられた粘着テープＡの先端部を摘まみ、テープ貼付け片７から粘着テープＡを剥がして引き出す。
【符号の説明】
【００２４】
Ａ    粘着テープ
Ｂ    テープロール
Ｃ    被接着面
１    テープカッター
２    ベース部
３    テープロール保持部
４    テープ引き出し部
５    切断刃
６    カッターカバー
７    テープ貼付け片
８    テープ押え部
９    カッター取り付け部
９Ａ  カッター支持溝
９Ｂ  カバー支持段部
１０  側壁
１１  抜け止めフランジ
１２  スリット
１３  指通し孔
１４  リブ
１５  指入れ用切欠き
１６  取付部
１７  弾性アーム
１８  被覆部
１９  指掛け孔
２０  フック部
２１  突条
２２  仮止め用突条
２３  閉鎖壁
２４  嵌合部
２５  固定部保持突起
２６  被覆部保持突起
２７  弾性突条
【図１】
2018002471.tif 000003
【図２】
2018002471.tif 000004
【図３】
2018002471.tif 000005
【図４】
2018002471.tif 000006
【図５】
2018002471.tif 000007
【図６】
2018002471.tif 000008